(57)【要約】      （修正有）【課題】抗菌機能を備えるナノシルバーを搭載した高分子吸収体及びサニタリー用品を提供する。【解決手段】ナノシルバーを搭載した高分子吸収体は高分子吸収体及びその上に塗布する複数のナノシルバーが吸着したホルダーにより組成する抗菌材料を含む。該ナノシルバーを搭載した高分子吸収体は、サニタリー用品の、使用者が分泌物を分泌する部位と接触する位置に応用し、人体分泌物を直接吸収し、或いは菌を含む外界空気の人体への進入を阻止することができる。また抗菌材料が生じる抗菌効果を応用し、人体の健康を維持することができる。【選択図】図５
0003143362.tif 000002
【実用新案登録請求の範囲】
【請求項１】
抗菌機能を備えるナノシルバーを搭載した高分子吸收体は高分子吸收体、抗菌材料を含み、
該抗菌材料は該高分子吸收体上に吸着し、該抗菌材料は複数のホルダーがナノシルバーを吸着し形成されることを特徴とする抗菌機能を備えるナノシルバーを搭載した高分子吸收体。
【請求項２】
前記抗菌材料は粉体で、しかもその粒経は10ミクロン(μm)以下であることを特徴とする請求項１記載の抗菌機能を備えるナノシルバーを搭載した高分子吸收体。
【請求項３】
前記高分子吸收体の材質は不織布或いは綿布であることを特徴とする請求項１記載の抗菌機能を備えるナノシルバーを搭載した高分子吸收体。
【請求項４】
前記ホルダーは活性炭、竹炭、カオリン或いはモンモリロナイトであることを特徴とする請求項１記載の抗菌機能を備えるナノシルバーを搭載した高分子吸收体。
【請求項５】
サニタリー用品は使用者の衛生維持に応用し、該サニタリー用品は主体、ナノシルバーを搭載した高分子吸收体を含み、
該主体は該サニタリー用品の搭載或いは固定に用いる構造で、
該ナノシルバーを搭載した高分子吸收体は該主体上に固定し、該使用者の分泌物出口部位と接触し、該ナノシルバーを搭載した高分子吸收体は高分子吸收体と抗菌材料を含むことを特徴とするサニタリー用品。
【請求項６】
前記主体は女性の生理用パッドであることを特徴とする請求項５記載のサニタリー用品。
【請求項７】
前記主体は紙おむつ或いは尿パッドであることを特徴とする請求項５記載のサニタリー用品。
【請求項８】
前記主体はマスクであることを特徴とする請求項５記載のサニタリー用品。
【考案の詳細な説明】
【技術分野】
【０００１】
本考案は抗菌機能を備えるナノシルバーを搭載した高分子吸收体及びサニタリー用品に関する。特にナノシルバーを搭載した高分子吸收体及びその応用であるサニタリー用品に係る。
【背景技術】
【０００２】
銀イオン(Ag+)は強力な菌抑制と殺菌効果を備える他に、幅広い抗菌活性を備えるため、銀（Ag）の抗菌特性は既に商業製品上に応用されている。一方、銀を主とする抗菌複合物は銀イオンを病原環境中に放つ必要があり、さもなくば効果を発揮することはできない。
金属銀が活性銀イオンへと酸化するのは、水分子中銀の相互作用による可能性がある。もし銀が孔洞構造を備える材料中に固定されていれば、銀イオンの放出時間はより長くなるため、銀を搭載した材料の応用がより広がる。
現行の抗菌薬物の多くは有機材料が主で、それは持久性が求められる化合物に使用することはできない。しかし、銀を搭載した無機材料の特性はちょうどこの欠点を効果的に克服することができるため、現在までに、ゼオライト、?酸カルシウム、繊維が既に銀を含む無機抗菌材料として利用されている。特に石英ガラス及びシリカ薄膜などの銀を搭載したシリカ（Silica）材料は、優れた持久性と高い抗菌活性を備えるため、優秀な抗菌材料の一つとして認識されている。
しかし、現段階では上記銀を含む抗菌材料を個人のサニタリー用品、或いは抗菌が必要とされる場所で応用されるマスク等に用いる例は非常に少ない。
【特許文献１】登録実用新案第３０２５９０５号公報
【考案の開示】
【考案が解決しようとする課題】
【０００３】
本考案が解決しようとする課題は、上記欠点に対して、銀を効果的にホルダー表面に分散させ、銀の含有量を効果的に制御可能な高分子吸收体を開発し、それをサニタリー用品上に応用する抗菌機能を備えるナノシルバーを搭載した高分子吸收体及びサニタリー用品を提供することである。
【課題を解決するための手段】
【０００４】
上記課題を解決するため、本考案は下記の抗菌機能を備えるナノシルバーを搭載した高分子吸收体及びサニタリー用品を提供する。
それは高分子吸收体、抗菌材料を含み、
該抗菌材料は高分子吸收体上に吸着し、該抗菌材料は複数のホルダーがナノシルバーを吸着し形成され、
上記本考案のナノシルバーを搭載した高分子吸收体の該抗菌材料は粉体で、しかもその粒経は10ミクロン(μm)以下で、
上記本考案のナノシルバーを搭載した高分子吸收体の該高分子吸收体の材質は不織布或いは綿布で、
上記本考案のナノシルバーを搭載した高分子吸收体の該ホルダーは活性炭、竹炭、カオリン或いはモンモリロナイトで、
さらにそのサニタリー用品は主体、ナノシルバーを搭載した高分子吸收体を含み、
該主体はサニタリー用品を搭載し或いは固定する構造で、
該ナノシルバーを搭載した高分子吸收体は該主体上に固定し、使用者の分泌物出口の部位と接触し、該ナノシルバーを搭載した高分子吸收体は高分子吸收体と抗菌材料を含み、
上記本考案のサニタリー用品の該主体は女性の生理用パッド、紙おむつ或いは尿パッド或いはマスクで、
本考案ナノシルバーを搭載した高分子吸收体は優れた持久性と高い抗菌活性を備えるため、個人のサニタリー用品に適用し、使用者に相当に長時間の無菌状態を提供することができる。
【考案の効果】
【０００５】
上記のように、本考案のナノシルバーを搭載した高分子吸收体は、サニタリー用品の、使用者が分泌物を分泌する部位と接触する位置に応用し、人体分泌物を直接吸収し、或いは菌を含む外界空気の人体への進入を阻止することができる。また抗菌材料が生じる抗菌効果を応用し、人体の健康を維持することができる。
【考案を実施するための最良の形態】
【０００６】
図式及び実施例を用いて以下に説明する。
図１は本考案実施例抗菌材料のホルダー指示図、図２は本考案実施例抗菌材料のナノシルバー指示図、図３は本考案実施例抗菌材料のホルダーにナノシルバーが吸着する指示図、図４及び５は本考案実施例抗菌材料の高分子吸收体と抗菌材料結合の構造フローチャートである。
図に示すように、本考案のナノシルバーを搭載した高分子吸收体10実施例は、高分子吸收体20、抗菌材料30を含む。
該高分子吸收体20の材質は不織布或いは綿布で、抗菌材料30を形成するホルダー40は活性炭、竹炭、カオリン或いはモンモリロナイトで、該抗菌材料30は高分子吸收体20上に吸着する。該抗菌材料30は複数のホルダー40がナノシルバー50を吸着し形成される。
【０００７】
上記の抗菌材料調合方法の実施例の一つは以下の通りである。
先ず、界面活性剤によりホルダーを活性化させる。
次に、活性化したホルダーを室温下でジアミン銀硝酸塩溶液中に浸し、一定時間の撹拌後に、上記溶液を希釈する。
続いて、室温、アンモニアガス状態において、数時間反応を持続させる。
最後に、脱イオン水とエタノールを用い洗浄し、分離後に加温真空乾燥し、抗菌材料の粉末顆粒の調合を完了する。
【０００８】
上記のナノシルバーを搭載した高分子吸收体は、使用者の身体部分、特に呼吸器官或いは排泄器官などの分泌物を分泌する出口に直接接触する構造体上に直接応用することができる。これにより例えば、生理用パッド、紙おむつ或いは尿パッド等サニタリー用品に応用することで、高分子材料の液体を大量に吸収可能な特性を利用し、使用者の分泌物を吸收することができ、その抗菌材料により細菌の大量繁殖を抑制することができる。
或いは、マスク等のサニタリー用品に応用する場合には、高分子材料の通気性を利用し空気を通過させ、さらにその抗菌材料を利用し空気中の菌を含む分子をろ過することができ、これにより使用者は清潔な空気を吸入することができる。
本考案は産業上の利用性、新規性、進歩性を備え、実用新案の要件に符合する。しかも上記は本考案の最適実施例に過ぎず、本考案実施の範囲を限定するものではない。本考案実用新案登録範囲に基づき行われる均等変化と修飾はすべて本考案実用新案登録範囲に含まれるものとする。
【図面の簡単な説明】
【０００９】
【図１】本考案実施例抗菌材料のホルダー指示図である。
【図２】本考案実施例抗菌材料のナノシルバー指示図である。
【図３】本考案実施例抗菌材料のホルダーにナノシルバーが吸着する指示図である。
【図４】本考案実施例抗菌材料の高分子吸收体と抗菌材料結合の構造フローチャートである。
【図５】本考案実施例抗菌材料の高分子吸收体と抗菌材料結合の構造フローチャートである。
【符号の説明】
【００１０】
10  ナノシルバーを搭載した高分子吸收体
20 高分子吸收体
30  抗菌材料
40  ホルダー
50  ナノシルバー
【図１】
0003143362.tif 000003
【図２】
0003143362.tif 000004
【図３】
0003143362.tif 000005
【図４】
0003143362.tif 000006
【図５】
0003143362.tif 000007
【手続補正書】
【提出日】平成20年5月13日(2008.5.13)
【手続補正１】
【補正対象書類名】実用新案登録請求の範囲
【補正対象項目名】全文
【補正方法】変更
【補正の内容】
【実用新案登録請求の範囲】
【請求項１】
サニタリー用品は使用者の衛生維持に応用し、該サニタリー用品は主体、ナノシルバーを搭載した高分子吸收体を含み、
該主体は該サニタリー用品の搭載或いは固定に用いる構造で、
該ナノシルバーを搭載した高分子吸收体は該主体上に固定し、該使用者の分泌物出口部位と接触し、該ナノシルバーを搭載した高分子吸收体は高分子吸收体と抗菌材料を含み、
前記主体は女性の生理用パッドであることを特徴とするサニタリー用品。
【請求項２】
サニタリー用品は使用者の衛生維持に応用し、該サニタリー用品は主体、ナノシルバーを搭載した高分子吸收体を含み、
該主体は該サニタリー用品の搭載或いは固定に用いる構造で、
該ナノシルバーを搭載した高分子吸收体は該主体上に固定し、該使用者の分泌物出口部位と接触し、該ナノシルバーを搭載した高分子吸收体は高分子吸收体と抗菌材料を含み、
前記主体は紙おむつ或いは尿パッドであることを特徴とするサニタリー用品。
【請求項３】
サニタリー用品は使用者の衛生維持に応用し、該サニタリー用品は主体、ナノシルバーを搭載した高分子吸收体を含み、
該主体は該サニタリー用品の搭載或いは固定に用いる構造で、
該ナノシルバーを搭載した高分子吸收体は該主体上に固定し、該使用者の分泌物出口部位と接触し、該ナノシルバーを搭載した高分子吸收体は高分子吸收体と抗菌材料を含み、
前記主体はマスクであることを特徴とするサニタリー用品。